【手続補正書】
【提出日】平成16年9月24日(2004.9.24)
【手続補正１】
【補正対象書類名】明細書
【補正対象項目名】全文
【補正方法】変更
【補正の内容】
【書類名】        明細書
【発明の名称】    パチンコ機
【特許請求の範囲】
【請求項１】  遊技領域に設けられて上方に開口する横幅が広い開閉扉で通常時は前面部を覆われる大入賞口と、
前記開閉扉を開閉する開閉手段と、
前記大入賞口の内部で所定方向に移動可能に設けられて該大入賞口に入賞した入賞球が上方から下方に通過可能な特別入賞口と、
前記特別入賞口を大入賞口内で所定方向に往復移動させる移動手段と、
前記特別入賞口の入賞球の通過を検出する検出手段と、
前記大入賞口の連続開放回数をカウントする回数カウント手段と、
前記大入賞口に連続入賞した入賞球の個数をカウントする個数カウント手段と、
前記大入賞口に連続入賞した入賞球の個数が所定個数に達したか否かを判定する第１判定手段と、
前記大入賞口の連続開放回数が所定の第１回数に達したか否かを判定する第２判定手段と、
前記大入賞口の連続開放回数が前記所定の第１回数より多い所定の第２回数に達したか否かを判定する第３判定手段と、
大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、
前記第２判定手段によって所定の第１回数に達していないと判定される場合には、前記大入賞口を開放している間、前記特別入賞口を所定位置で停止させるように制御する第２制御手段と、
前記第２判定手段によって所定の第１回数に達したと判定される場合には、前記大入賞口を開放している間、前記特別入賞口を所定方向に往復移動させるように制御する第３制御手段と、
を備えたことを特徴とするパチンコ機。
【請求項２】  前記移動手段は、前記特別入賞口を前記大入賞口に対して左右水平方向に往復移動させることを特徴とする請求項１に記載のパチンコ機。
【請求項３】  前記移動手段は、前記特別入賞口を前記大入賞口に対して前後方向に往復移動させることを特徴とする請求項１に記載のパチンコ機。
【請求項４】  遊技領域に設けられて上方に開口する横幅が広い開閉扉で通常時は前面部を覆われる大入賞口と、
前記開閉扉を開閉する開閉手段と、
前記大入賞口の内部で回転可能に設けられて外周部に遊技球を保留可能な保留部が形成される回転部材と、
前記回転部材を回転させる回転手段と、
前記大入賞口の内部の所定位置に設けられて入賞球が上方から下方に通過可能な特別入賞口と、
前記回転部材の保留部が所定位置まで回転された場合に、該保留部に保留された遊技球を前記特別入賞口に案内する案内部材と、
前記特別入賞口の入賞球の通過を検出する検出手段と、
前記大入賞口の連続開放回数をカウントする回数カウント手段と、
前記大入賞口に連続入賞した入賞球の個数をカウントする個数カウント手段と、
前記大入賞口に連続入賞した入賞球の個数が所定個数に達したか否かを判定する第１判定手段と、
前記大入賞口の連続開放回数が所定の第１回数に達したか否かを判定する第２判定手段と、
前記大入賞口の連続開放回数が前記所定の第１回数より多い所定の第２回数に達したか否かを判定する第３判定手段と、
大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、
前記第２判定手段によって所定の第１回数に達していないと判定される場合には、前記大入賞口を開放している間、前記回転部材の保留部が上側方向に向く位置で該回転部材を停止させると共に、該大入賞口を閉塞した時に該回転部材を所定方向に１回転させて停止させるように制御する第４制御手段と、
前記第２判定手段によって所定の第１回数に達したと判定される場合には、前記大入賞口を開放している間、前記回転部材を所定方向に回転させると共に、該大入賞口を閉塞した時に該回転部材を所定方向に１回転させて停止させるように制御する第５制御手段と、
を備えたことを特徴とするパチンコ機。
【請求項５】  前記回転部材は、前記大入賞口に対して回動軸心が垂直になるように設けられていることを特徴とする請求項４に記載のパチンコ機。
【請求項６】  遊技領域に設けられて上方に開口する横幅が広い開閉扉で通常時は前面部を覆われる大入賞口と、
前記開閉扉を開閉する開閉手段と、
前記大入賞口の内部の所定位置に設けられて入賞球が上方から下方に通過可能な特別入賞口と、
前記特別入賞口の入賞球の通過を検出する検出手段と、
前記特別入賞口を開閉する入賞規制部材と、
前記入賞規制部材を開閉動作させる部材駆動手段と、
前記特別入賞口の入賞球の通過を検出する検出手段と、
前記大入賞口の連続開放回数をカウントする回数カウント手段と、
前記大入賞口に連続入賞した入賞球の個数をカウントする個数カウント手段と、
前記大入賞口に連続入賞した入賞球の個数が所定個数に達したか否かを判定する第１判定手段と、
前記大入賞口の連続開放回数が所定の第１回数に達したか否かを判定する第２判定手段と、
前記大入賞口の連続開放回数が前記所定の第１回数より多い所定の第２回数に達したか否かを判定する第３判定手段と、
大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、
前記第２判定手段によって所定の第１回数に達していないと判定される場合には、前記大入賞口を開放している間、前記入賞規制部材に開放動作をさせて前記特別入賞口を開放するように制御する第６制御手段と、
前記第２判定手段によって所定の第１回数に達したと判定される場合には、前記大入賞口を開放している間、前記入賞規制部材により特別入賞口の開放と閉鎖とを所定時間間隔で繰り返し行うように制御する第７制御手段と、
を備えたことを特徴とするパチンコ機。
【請求項７】  前記部材駆動手段は、前記入賞規制部材を前記大入賞口に対して前後方向に往復移動させて開閉動作させることを特徴とする請求項６に記載のパチンコ機。
【請求項８】  前記部材駆動手段は、前記入賞規制部材を前記大入賞口に対して左右水平方向に往復移動させて開閉動作させることを特徴とする請求項６に記載のパチンコ機。
【請求項９】  前記入賞規制部材は、略平板状部材であることを特徴とする請求項６乃至請求項８のいずれかに記載のパチンコ機。
【発明の詳細な説明】
【０００１】
【発明の属する技術分野】
本発明は、大入賞口が所定回数開放されるパチンコ機に関し、特に、大入賞口の内部に該大入賞口の開放回数を継続させる特別入賞口を設け、大入賞口が所定回数開放するまでは特別入賞口を固定して開放し、大入賞口が所定回数開放後には、この特別入賞口の移動又は開閉によって該特別入賞口への入賞を規制することにより、大入賞口内で従来にない複雑な態様が期待されると共に、遊技者の技量により一定量以上の出球を獲得できるため、初心者からベテランまで広い客層の遊技者の興味を引きつけ興趣を増大させることができるパチンコ機に関するものである。
【０００２】
【従来の技術】
従来より、パチンコ球が始動入賞口に入賞すると、遊技領域のほぼ中央に設けられたＣＲＴ（Cathode Ray Tube）やＬＣＤ（Liquid Crystal Display）等を用いた種々の特別図柄表示装置に表示されている変動図柄が変動を開始し、一定時間経過した後に表示された図柄が一定確率で揃うと、大当りとして大入賞口が所定回数続けて開くとともに特別図柄表示装置に大当り映像が表示されるパチンコ機（第一種パチンコ機）がある。
この種のパチンコ機では、大入賞口内に固定された特別入賞口（以下、「Ｖゾーン」という。）が設けられ、このＶゾーンへの入賞により大入賞口の開放が継続される。しかし、Ｖゾーンは固定されているため、大入賞口内の部材の動きやそれに伴うパチンコ球の転動状態の変化が単調になって飽き易く、遊技としての面白味の点で改善の余地があり、この改善を目的とした種々のパチンコ機が提案されている。
【０００３】
例えば、本願出願人による実開昭６３−５９６８３号公報に記載のパチンコゲーム機においては、盤面に大入賞口を設けると共に、この大入賞口を開閉する入賞規制部材を設け、且つ前記大入賞口への入賞確率を高める動作を前記入賞規制部材に行わせる連続動作装置の入口を前記大入賞口内に設けたものにおいて、前記連続動作装置の入口を移動可能可能な構成にしている。これにより、大入賞口内の部材の動きやそれに伴うパチンコ球の転動状態に従来にはない変化を出すことができて、遊技としての面白味を増大させ得ることができる。
【０００４】
【発明が解決しようとする課題】
しかしながら、前記実開昭６３−５９６８３号公報に記載されたパチンコゲーム機では、大入賞口を開閉する入賞規制部材が入賞確率を高める動作をしている場合には、該大入賞口内に設けられる連続動作装置の入口が移動する構成になっているため、遊技者の技量の程度により極端に獲得出球に差が出て、初心者等に興味を失わせ興趣を低下させるという問題や、初心者からベテランまで広い客層に受け入れられないという問題があった。
【０００５】
そこで、本発明は、上述した問題点を解決するためになされたものであり、大入賞口の内部に該大入賞口の開放回数を継続させる特別入賞口を設け、大入賞口が所定回数開放するまでは特別入賞口を固定して開放し、大入賞口が所定回数開放後には、この特別入賞口の移動又は開閉によって該特別入賞口への入賞を規制することにより、大入賞口内で従来にない複雑な態様が期待されると共に、遊技者の技量により一定量以上の出球を獲得できるため、初心者からベテランまで広い客層の遊技者の興味を引きつけ興趣を増大させることができるパチンコ機を提供することを目的とする。
【０００６】
【課題を解決するための手段】
前記目的を達成するために、請求項１に係るパチンコ機は、遊技領域に設けられて上方に開口する横幅が広い開閉扉で通常時は前面部を覆われる大入賞口と、前記開閉扉を開閉する開閉手段と、前記大入賞口の内部で所定方向に移動可能に設けられて該大入賞口に入賞した入賞球が上方から下方に通過可能な特別入賞口と、前記特別入賞口を大入賞口内で所定方向に往復移動させる移動手段と、前記特別入賞口の入賞球の通過を検出する検出手段と、前記大入賞口の連続開放回数をカウントする回数カウント手段と、前記大入賞口に連続入賞した入賞球の個数をカウントする個数カウント手段と、前記大入賞口に連続入賞した入賞球の個数が所定個数に達したか否かを判定する第１判定手段と、前記大入賞口の連続開放回数が所定の第１回数に達したか否かを判定する第２判定手段と、前記大入賞口の連続開放回数が前記所定の第１回数より多い所定の第２回数に達したか否かを判定する第３判定手段と、大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、前記第２判定手段によって所定の第１回数に達していないと判定される場合には、前記大入賞口を開放している間、前記特別入賞口を所定位置で停止させるように制御する第２制御手段と、前記第２判定手段によって所定の第１回数に達したと判定される場合には、前記大入賞口を開放している間、前記特別入賞口を所定方向に往復移動させるように制御する第３制御手段と、を備えたことを特徴とする。
【０００７】
このような特徴を有する請求項１に係るパチンコ機においては、大当り時に開放される大入賞口の内部には、この大入賞口の開放回数を継続するための特別入賞口が設けられている。また、この特別入賞口は移動手段によって所定方向に往復移動可能に設けられている。また、この移動手段は、大入賞口の連続開放回数が所定の第１回数までの場合には、大入賞口の開放中、特別入賞口を所定位置に停止させるように制御される。また、大入賞口の連続開放回数が所定の第１回数に達した場合には、該大入賞口の開放中、特別入賞口を所定方向に往復移動させるように制御される。そして、大入賞口の開放中に特別入賞口に入賞した場合には、この大入賞口の開放回数が所定の第１回数よりも多い所定の第２回数に達するまで連続開放可能になる。
これにより、特別入賞口は、大入賞口の開放回数が所定回数までの場合には、この大入賞口の開放中所定位置に停止しているため、初心者等でも一定量の出球を獲得することができ、初心者の興味を引きつけることができる。また、この特別入賞口は、大入賞口の開放回数が所定回数を越えた場合には、該大入賞口の開放中移動するため、大入賞口内で従来にない複雑な態様が期待されると共に、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができる。
【０００８】
また、請求項２に係るパチンコ機は、請求項１に記載のパチンコ機において、前記移動手段は、前記特別入賞口を前記大入賞口に対して左右水平方向に往復移動させることを特徴とする。
【０００９】
このような特徴を有する請求項２に係るパチンコ機では、請求項１に記載のパチンコ機において、前記移動手段は、前記特別入賞口を前記大入賞口に対して左右水平方向に往復移動させるため、これに対応して、パチンコ球を大入賞口の左右から入るように発射ハンドルを操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。
【００１０】
また、請求項３に係るパチンコ機は、請求項１に記載のパチンコ機において、前記移動手段は、前記特別入賞口を前記大入賞口に対して前後方向に往復移動させることを特徴とする。
【００１１】
このような特徴を有する請求項３に係るパチンコ機では、請求項１に記載のパチンコ機において、前記移動手段は、前記特別入賞口を前記大入賞口に対して前後方向に往復移動させるため、これに対応して、特別入賞口が前に出てきた時にパチンコ球が大入賞口に入るように発射ハンドルを操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。
【００１２】
また、請求項４に係るパチンコ機は、遊技領域に設けられて上方に開口する横幅が広い開閉扉で通常時は前面部を覆われる大入賞口と、前記開閉扉を開閉する開閉手段と、前記大入賞口の内部で回転可能に設けられて外周部に遊技球を保留可能な保留部が形成される回転部材と、前記回転部材を回転させる回転手段と、前記大入賞口の内部の所定位置に設けられて入賞球が上方から下方に通過可能な特別入賞口と、前記回転部材の保留部が所定位置まで回転された場合に、該保留部に保留された遊技球を前記特別入賞口に案内する案内部材と、前記特別入賞口の入賞球の通過を検出する検出手段と、前記大入賞口の連続開放回数をカウントする回数カウント手段と、前記大入賞口に連続入賞した入賞球の個数をカウントする個数カウント手段と、前記大入賞口に連続入賞した入賞球の個数が所定個数に達したか否かを判定する第１判定手段と、前記大入賞口の連続開放回数が所定の第１回数に達したか否かを判定する第２判定手段と、前記大入賞口の連続開放回数が前記所定の第１回数より多い所定の第２回数に達したか否かを判定する第３判定手段と、大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、前記第２判定手段によって所定の第１回数に達していないと判定される場合には、前記大入賞口を開放している間、前記回転部材の保留部が上側方向に向く位置で該回転部材を停止させると共に、該大入賞口を閉塞した時に該回転部材を所定方向に１回転させて停止させるように制御する第４制御手段と、前記第２判定手段によって所定の第１回数に達したと判定される場合には、前記大入賞口を開放している間、前記回転部材を所定方向に回転させると共に、該大入賞口を閉塞した時に該回転部材を所定方向に１回転させて停止させるように制御する第５制御手段と、を備えたことを特徴とする。
【００１３】
このような特徴を有する請求項４に係るパチンコ機では、大当り時に開放される大入賞口の内部には、この大入賞口の開放回数を継続するための特別入賞口が設けられている。また、外周部に遊技球を保留可能な保留部が形成されて、回転手段によって回転される回転部材が設けられている。また、この保留部に保留された遊技球は、保留部が所定位置まで回転されると案内部材によって特別入賞口まで案内され、該特別入賞口への入賞が検出されるように構成されている。また、大入賞口の開放回数が所定の第１回数までの場合には、該大入賞口の開放中、回転部材の保留部を上側方向に向く位置に停止させ、該大入賞口の閉鎖後、該回転部材を１回転だけ回転させて、保留部に保留された入賞球が特別入賞口に案内されるように回転手段が駆動制御される。また、該大入賞口の連続開放回数が所定の第１回数を越えた場合には、該大入賞口の開放中、回転部材を回転させ、該大入賞口の閉鎖後、該回転部材を１回転だけ回転させて、保留部に保留された入賞球が特別入賞口に案内されるように回転手段が駆動制御される。そして、大入賞口の開放中に特別入賞口に入賞した場合には、この大入賞口の開放回数が所定の第１回数よりも多い所定の第２回数に達するまで連続開放可能になる。
これにより、大入賞口の開放回数が所定の第１回数までの場合には、この大入賞口の開放中、回転部材の保留部を上側方向に向く位置に停止させるため、初心者等でも回転部材の保留部に遊技球を保留させることができて一定量の出球を獲得することができ、初心者の興味を引きつけることができる。また、回転部材は、大入賞口の開放回数が所定の第１回数を越えた場合には、該大入賞口の開放中回転するため、大入賞口内で従来にない複雑な態様が期待できると共に、回転部材の保留部に遊技球を保留させることが難しくなり、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができる。
【００１４】
また、請求項５に関わるパチンコ機は、請求項４に記載のパチンコ機において、前記回転部材は、前記大入賞口に対して回動軸心が垂直になるように設けられていることを特徴とする。
【００１５】
このような特徴を有する請求項５に係るパチンコ機においては、請求項４に記載のパチンコ機において、回転部材は、大入賞口に対して回動軸心が垂直になるように設けられているため、これに対応して、回転部材の保留部が上方向に向いた時にパチンコ球が大入賞口に入るように発射ハンドルを操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。
【００１６】
また、請求項６に関わるパチンコ機は、遊技領域に設けられて上方に開口する横幅が広い開閉扉で通常時は前面部を覆われる大入賞口と、前記開閉扉を開閉する開閉手段と、前記大入賞口の内部の所定位置に設けられて入賞球が上方から下方に通過可能な特別入賞口と、前記特別入賞口の入賞球の通過を検出する検出手段と、前記特別入賞口を開閉する入賞規制部材と、前記入賞規制部材を開閉動作させる部材駆動手段と、前記特別入賞口の入賞球の通過を検出する検出手段と、前記大入賞口の連続開放回数をカウントする回数カウント手段と、前記大入賞口に連続入賞した入賞球の個数をカウントする個数カウント手段と、前記大入賞口に連続入賞した入賞球の個数が所定個数に達したか否かを判定する第１判定手段と、前記大入賞口の連続開放回数が所定の第１回数に達したか否かを判定する第２判定手段と、前記大入賞口の連続開放回数が前記所定の第１回数より多い所定の第２回数に達したか否かを判定する第３判定手段と、大当たり時に前記大入賞口を開放後、前記第１判定手段によって該大入賞口の入賞球が所定個数に達したと判定された場合には、前記開閉扉を閉じると共に、前記第３判定手段によって前記大入賞口の連続開放回数が所定の第２回数に達していないと判定され、且つ、該大入賞口の開放中に前記特別入賞口の入賞球の通過を検出した場合には、再度、該大入賞口を開放し、前記第３判定手段によって前記大入賞口の連続開放回数が所定の第２回数に達した判定され、又は、該大入賞口の開放中に前記特別入賞口の入賞球の通過を検出しなかった場合には、次の大当り時まで前記開閉扉を閉じるように制御する第１制御手段と、前記第２判定手段によって所定の第１回数に達していないと判定される場合には、前記大入賞口を開放している間、前記入賞規制部材に開放動作をさせて前記特別入賞口を開放するように制御する第６制御手段と、前記第２判定手段によって所定の第１回数に達したと判定される場合には、前記大入賞口を開放している間、前記入賞規制部材により特別入賞口の開放と閉鎖とを所定時間間隔で繰り返し行うように制御する第７制御手段と、を備えたことを特徴とする。
【００１７】
このような特徴を有する請求項６に係るパチンコ機においては、大当り時に開放される大入賞口の内部には、この大入賞口の開放回数を継続するための特別入賞口が設けられている。そして、この特別入賞口は、部材駆動手段によって駆動される入賞規制部材によって開閉される。また、この部材駆動手段は、大入賞口の開放回数が所定の第１回数までの場合には、該大入賞口の開放中、特別入賞口を開放し、該大入賞口の開放回数が所定の第１回数を越えた場合には、該大入賞口の開放中、特別入賞口の開放と閉鎖とを所定時間間隔で繰り返し行うように駆動制御される。そして、大入賞口の開放中に特別入賞口に入賞した場合には、この大入賞口の開放回数が所定の第１回数よりも多い所定の第２回数に達するまで連続開放可能になる。
これにより、特別入賞口は、大入賞口の連続開放回数が所定の第１回数に達するまでは、この大入賞口の開放中開かれているため、初心者等でも一定量の出球を獲得することができ、初心者の興味を引きつけることができる。また、この特別入賞口は、大入賞口の開放回数が所定の第１回数を越えた場合には、該大入賞口の開放中入賞規制部材により所定時間間隔で開放と閉鎖とが繰り返されるため、大入賞口内で従来にない複雑な態様が期待されると共に、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができる。
【００１８】
また、請求項７に係るパチンコ機は、請求項６に記載のパチンコ機において、前記部材駆動手段は、前記入賞規制部材を前記大入賞口に対して前後方向に往復移動させて開閉動作させることを特徴とする。
【００１９】
このような特徴を有する請求項７に係るパチンコ機では、請求項６に記載のパチンコ機において、部材駆動手段は、入賞規制部材を大入賞口に対して前後方向に往復移動させて開閉動作させるため、これに対応して、入賞規制部材が前方向又は後ろ方向に移動して特別入賞口が開いた時にパチンコ球が大入賞口に入るように発射ハンドルを操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。
【００２０】
また、請求項８に係るパチンコ機は、請求項６に記載のパチンコ機において、前記部材駆動手段は、前記入賞規制部材を前記大入賞口に対して左右水平方向に往復移動させて開閉動作させることを特徴とする。
【００２１】
このような特徴を有する請求項８に係るパチンコ機では、請求項６に記載のパチンコ機において、前記部材駆動手段は、前記入賞規制部材を前記大入賞口に対して左右水平方向に往復移動させて開閉動作させるため、これに対応して、入賞規制部材が右方向又は左方向に移動して特別入賞口が開いた時にパチンコ球が大入賞口に入るように発射ハンドルを操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。
【００２２】
さらに、請求項９に係るパチンコ機は、請求項６乃至請求項８のいずれかに記載のパチンコ機において、前記入賞規制部材は、略平板状部材であることを特徴とする。
【００２３】
このような特徴を有する請求項９に係るパチンコ機では、請求項６乃至請求項８のいずれかに記載のパチンコ機において、入賞規制部材は、略平板状部材であるため、構造が簡単になり、製造コストの削減化及び製品の信頼性の向上を図ることができる。
【００２４】
【発明の実施の形態】
以下、本発明に係るパチンコ機について具体化した第１乃至第３実施の形態を図面を参照して詳細に説明する。先ず、第１実施形態に係るパチンコ機の全体構成について図１及び図２に基づいて説明する。図１は第１実施形態に係るパチンコ機の全体を示した正面図である。図２は第１実施形態に係るパチンコ機の全体を示した背面図である。但し、図１では、遊技盤上のキャラクタ図柄等は省略している。
図１において、パチンコ機１は、いわゆる第一種パチンコ機である。パチンコ機１は、入賞口１８、特別図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球が発射ハンドル６に連結された不図示の発射装置へ送られるよう構成されている。また、遊技盤２の裏面には特別図柄表示装置等を制御する主基板３６（図２参照）が設けられている。また、遊技盤２の両肩部には、賞球及び球切れ表示ランプ１０、１０が設けられている。
【００２５】
一方、遊技盤２の前側は、鋼板やステンレス等の金属製のガラス扉９により被覆されており、該ガラス扉９は、外枠２２（図２参照）の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、該ガラス保持枠に装着された２枚のガラスを通して遊技領域を見ることができる。また、ガラス扉９の上部には、遊技中のエラーを表示するエラー表示ランプ７やガラス扉９の上部及び右側には、「当り」を表示する当り表示ランプ８、８が取り付けられている。
【００２６】
また、パチンコ機１における遊技盤２上の遊技領域の構成について説明する。この遊技領域は、所定厚さの板材をなした遊技盤２上に入賞口１８等の各構造物が所定の位置に取り付けられ、それを囲むように環状のレール１１が取り付けられて構成されている。このレール１１は、発射されたパチンコ球を遊技領域内に案内する重複して形成した案内路１５を構成し、右肩部にはレール１１に沿って打ち込まれるパチンコ球の進行を制限するための段差部１６を有する。そして、その段差部１６には軸支された返しゴム（図示されていない）が配設されている。
また、遊技領域のほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００２７】
液晶表示器１２の上方の中心線上に入賞口１８が設けられている。入賞口１８の上には、イメージキャラクタである加藤茶のキャラクタ図柄が描かれている。この入賞口１８に入賞すると、所定の個数の賞球が上部受け皿３に排出される。そして、液晶表示器１２の下方の中心線上に第１種始動口１９が設けられている。この第１種始動口１９に入賞すると液晶表示器１２に表示されている変動図柄群が変動する。
また、変動図柄が変動中に第１種始動口１９に入賞した場合には、入賞個数が４個までＲＡＭ７３（図５参照）の保留カウンタに記憶されて変動確定回数として保留される。そして、液晶表示器１２の下端部には、この保留カウンタに記憶されているカウント値が表示される４個の保留ＬＥＤ１３Ａが設けられている。
また、液晶表示器１２の下方には、下方入賞口である大入賞口１７が設けられている。大入賞口１７は、液晶表示器１２において変動図柄が揃って大当りが発生したとき等にソレノイド６１（図５参照）により開閉する扉構造を有している。
さらに、入賞口１８の左右には、各１個ずつ入賞口ＬＥＤ１３Ｂが配置され、液晶表示器１２の左右には、各々４個ずつ図柄表示装置ＬＥＤ１３Ｃが配置され、また、大入賞口１７の左右下方位置には、各々４個ずつ大入賞口ＬＥＤ１３Ｄが配置されている。これらの各ＬＥＤ１３Ｂ、１３Ｃ、１３Ｄは、ＬＥＤ駆動回路部４２（図５参照）により変動図柄の変動や大入賞口１７の開放動作等に連動して点灯制御される。
【００２８】
また、図２に示すように、パチンコ機１は、木製の外枠２２に対して木製の内枠２３がヒンジ部材等を介して開閉自在に取り付けられている。また、この内枠２３のほぼ中央部には遊技盤２が着脱可能なように鉄板等の金属製の機構盤２４が取り付けられている。そして、この機構盤２４の片側には合成樹脂製の機構セット盤２５が開閉自在に蝶番により取り付けられている。外枠２２及び内枠２３は、現在では樹脂製のものが主流となっているが、第１実施形態では木製のものとしている。
パチンコ機１の裏側上部には、上方に開口した賞球タンク２６が機構セット盤２５に固定されている。賞球タンク２６の直上には補給装置２７が配設され、吐出部２７Ａが垂直に降りている。賞球タンク２６は、傾斜した底面に連通孔（不図示）が形成され、その連通孔の下方にはパチンコ球を２列に整列流出し得る傾斜したタンクレール２８が取付けられている。
【００２９】
また、賞球ケース３２へパチンコ球を案内する賞球案内部２９内には、タンクレール２８の下流側のパチンコ球を案内する２列の賞球通路３０が形成されている。
また、賞球ケース３２には、各賞球通路３０を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
そして、賞球ケース３２の下流側には排出部が形成され、排出路３３及び下部受け皿満タンスイッチが内装された排出路３４が下端部下方に開口して形成されている。また、この開口部の下方には、上部受け皿３から溢れた賞球を受けて下部受け皿５に案内する下皿受け部を構成する下部受皿ボックス３５がボルトにより内枠２３の裏側に取り付けられている。
【００３０】
また、機構セット盤２５上には、基板ボックス３６Ａ内に配置される主基板３６が、遊技盤裏面を覆う透明なＡＢＳ等の樹脂製のセンターカバー３７に装着された状態で固定されている。この主基板３６には、後述のようにパチンコ機１の遊技動作などを制御する制御回路が構成されている（図５参照）。
【００３１】
また、主基板３６の下側には、コントロール基板が装着されたコントロールボックス３８が取り付けられている。このコントロール基板は、賞球払出等の制御を行うための制御回路を構成している。
【００３２】
さらに、機構セット盤２５の上方角部（図２中、右上角部）には、中継基板４０が設けられている。この中継基板４０は、パチンコ機１とホールコンピュータをつなぐ基板である。
【００３３】
次に、大入賞口１７内に配置される特別入賞口の概略構成について図３及び図４に基づいて説明する。図３は第１実施形態に係るパチンコ機の大入賞口１７内に配置される特別入賞口の概略構成を示し、（ａ）は特別入賞口の要部を示す平面図、（ｂ）は特別入賞口の要部を示す側面断面図である。図４は第１実施形態に係るパチンコ機の大入賞口１７内の入賞球の経路を示す正面図である。
先ず、図３（ｂ）に示すように、大入賞口１７は、遊技盤２の前面より嵌挿されて取り付けられている。そして、大入賞口１７の背面部には、特別入賞口（以下、「Ｖゾーン」という。）４６が前側から挿入される移動溝１７Ｂ（図４参照）が左右水平方向に貫通して形成されている。
また、図４に示すように、この移動溝１７Ｂの下側には、左右側面から内側斜め下方向に延出される案内リブ１７Ｃが延出され、この案内リブ１７Ｃの内側端縁部には、大入賞口１７への入賞球の通過をカウントするカウントスイッチ７６が設けられている。さらに、カウントスイッチ７６の下側には、扉１７Ａが開いた時に入賞する入賞球を遊技盤２の裏側に案内する貫通孔１７Ｄが形成されている。
【００３４】
また、図３に示すように、Ｖゾーン４６は、略箱状で前後方向のほぼ中央位置に、上記移動溝１７Ｂの溝幅よりも広い鍔部４６Ｂが形成されており、この鍔部４６Ｂの前側には入賞球の通過する貫通孔４６Ａが形成されている。また、この貫通孔４６Ａの入賞球の通過を検出するＶゾーン通過スイッチ７７が内部に設けられている。また、Ｖゾーン４６の後端面には、入賞球集合部材４５の左右水平方向に貫通して形成される案内溝（不図示）に挿入される平板部４６Ｃが後方に延出されて形成されている。また、この平板部４６Ｃには、前後方向の中心線上に沿って、長溝４６Ｄが貫通して形成されている。
そして、Ｖゾーン４６は、移動溝１７Ｂに前面側から遊嵌されて鍔部４６Ｂが移動溝１７Ｂの前面側に当接すると共に、平板部４６Ｃが入賞球集合部材４５の貫通溝に遊嵌される。そして、入賞球集合部材４５の後面側から止め部材４６Ｅがビス４９により平板部４６Ｃの後端面に取り付けられる。これにより、Ｖゾーン４６は、大入賞口１７の背面部に形成される移動溝１７Ｂに沿って左右水平方向に移動可能に取り付けられる。
【００３５】
また、Ｖゾーン４６の平板部４６Ｃの下側には、ステッピングモータ等により構成されるＶゾーン駆動モータ４７が設けられている。また、このＶゾーン駆動モータ４７のモータ軸には円板部材４８が止めビス等により固定されている。そして、この円板部材４８の上面には、ピン４８Ａが偏心して垂設されており、上記Ｖゾーン４６の平板部４６Ｃに形成された長溝４６Ｄに下面側から挿入されている。これにより、平板部４６Ｃの長溝４６Ｄと円板部材４８のピン４８Ａとがカム機構を構成し、Ｖゾーン駆動モータ４７の回転駆動によりＶゾーン４６が矢印５１（図４参照）に示すように左右水平方向に往復移動される。
【００３６】
次に、このように構成された大入賞口１７内の入賞球の経路について図４に基づいて説明する。
図４に示すように、大入賞口１７の扉１７Ａが開いた場合には、大入賞口１７の左右上方向から入賞した入賞球は、各矢印５２Ａ、５２Ｂ、５３Ａ、５３Ｂに示されるように、各案内リブ１７Ｃ、１７Ｃに沿ってカウントスイッチ７６に案内されて、このカウントスイッチ７６を通過後、大入賞口１７の底面に沿って貫通孔１７Ｄに案内され、遊技盤２の裏側に案内される。
また、Ｖゾーン４６がカウントスイッチ７７の真上に位置している場合に、Ｖゾーン４６の貫通孔４６Ａに入賞した入賞球は、矢印５４に示されるように、Ｖゾーン通過スイッチ７７を通過後カウントスイッチ７６を通過して、大入賞口１７の底面に沿って貫通孔１７Ｄに案内され、遊技盤２の裏側に案内される。また、Ｖゾーン４６がカウントスイッチ７７の真上に位置していない場合には、Ｖゾーン４６の貫通孔４６Ａに入賞した入賞球は、Ｖゾーン通過スイッチ７７を通過後、矢印５２Ｂ若しくは矢印５３Ｂに示されるように各案内リブ１７Ｃ、１７Ｃに沿ってカウントスイッチ７６に案内されて、このカウントスイッチ７６を通過後、大入賞口１７の底面に沿って貫通孔１７Ｄに案内され、遊技盤２の裏側に案内される。
【００３７】
次に、上記構成のパチンコ機１の液晶表示器１２等を制御する主基板３６の回路構成について図５に基づいて説明する。図５は第１実施形態に係るパチンコ機１の遊技動作等を制御する主基板３６の回路構成の一例を示すブロック図である。
図５に示すように、主基板３６には、遊技動作を制御する制御回路部５５、所定のクロック信号を出力するクロック回路５６、入力ポート５７及び出力ポート５８が設けられ、この制御回路部５５、入力ポート５７及び出力ポート５８は、バス線５４により相互に接続されている。
【００３８】
また、液晶表示器１２の背面部に設けられ、この液晶表示器１２へ図柄表示駆動を行う液晶表示器駆動回路５９に表示制御信号等を送出する液晶表示器通信回路６０が主基板３６上に設けられ、出力ポート５８に接続されている。また、大入賞口１７の開閉用のソレノイド６１を駆動するソレノイド駆動回路部６２が主基板３６上に設けられ、出力ポート５８に接続されている。また、Ｖゾーン４６を左右水平方向に往復移動させるＶゾーン駆動モータ４７を駆動するＶゾーン駆動回路部６４が主基板３６上に設けられ、出力ポート５８に接続されている。また、エラー表示ランプ７、当り表示ランプ８及び賞球切れ表示ランプ１０等を駆動するランプ駆動回路部６３が主基板３６上に設けられ、出力ポート５８に接続されている。更に、各保留ＬＥＤ１３Ａ、入賞口ＬＥＤ１３Ｂ、図柄表示装置ＬＥＤ１３Ｃ、大入賞口ＬＥＤ１３Ｄ等を駆動するＬＥＤ駆動回路部４２が主基板３６上に設けられ、出力ポート５８に接続されている。
【００３９】
また、制御回路部５５には、制御回路部５５の全体を制御するＣＰＵ７１と、各種制御処理用のプログラムや制御処理に必要なデータ等を格納しておくＲＯＭ７２と、各種制御処理データ等を格納しておくＲＡＭ７３が設けられ、このＣＰＵ７１、ＲＯＭ７２及びＲＡＭ７３はバス線５４に接続されている。また、ＣＰＵ７１には、クロック回路５６が接続されている。
【００４０】
更に、入力ポート５７には、第１種始動口１９に設けられて入賞球を検出する第１種始動口スイッチ７５、大入賞口１７の内部に設けられて大入賞口１７への入賞球のカウントを行うカウントスイッチ７６、及び大入賞口１７の内部に設けられて大入賞口１７の開放を継続するためのＶゾーン４６への入賞球の検出を行うＶゾーン通過スイッチ７７等が接続されている。
【００４１】
ここで、Ｖゾーン４６、貫通孔４６Ａ、及びＶゾーン通過スイッチ７７等が特別入賞口を構成する。また、Ｖゾーン４６の平板部４６Ｃ、長溝４６Ｄ、Ｖゾーン駆動モータ４７、円板部材４８、及びピン４８Ａ等が移動手段を構成する。また、制御回路部５５、出力ポート５８、及びＶゾーン駆動回路部６４等が移動制御手段を構成する。
【００４２】
次に、このように構成された制御回路部５５の「大当り」時のＶゾーン４６の移動制御処理について図６及び図７に基づいて説明する。図６は第１実施形態に係るパチンコ機１の「大当り」時におけるＶゾーン４６の移動制御処理を示すメインフローチャートである。図７は第１実施形態に係るパチンコ機１のＶゾーン移動開始処理を示すサブフローチャートである。
図６に示すように、「大当り」時の制御処理が開始されると、先ず、ステップ（以下、Ｓという）１において、ＣＰＵ７１は、ＲＡＭ７３から大入賞口１７の開放回数のカウント値Ｎを読み出して、このカウント値Ｎに「１」を代入して、再度ＲＡＭ７３に記憶する。また、ＲＡＭ７３から大入賞口１７への入賞個数のカウント値Ｔを読み出して、このカウント値Ｔに「０」を代入して、再度ＲＡＭ７３に記憶する。
【００４３】
そして、Ｓ２において、ＣＰＵ７１は、ＲＡＭ７３からＶゾーン４６への入賞を示すＶフラッグを読み出して「０」を代入して、即ち、ＶフラッグをＯＦＦにして、再度ＲＡＭ７３に記憶する。
【００４４】
続いて、Ｓ３において、Ｖゾーン移動開始処理のサブ処理を実行する。このＶゾーン移動開始処理は、図７に示すように、先ず、Ｓ２１において、ＲＡＭ７３からカウント値Ｎを読み出し、このカウント値Ｎが９より小さいか否か判定する。
そして、カウント値Ｎが９より小さい場合には（Ｓ２１：ＹＥＳ）、Ｓ２２において、Ｖゾーン駆動モータ４７を所定の回転位置で停止させ、即ち、Ｖゾーン４６を大入賞口１７内の左右水平方向のほぼ中央位置で、且つカウントスイッチ７６の真上で停止させて、メインフローチャートに戻る。これにより、Ｖゾーン４６の貫通孔４６Ａに入賞球の入る確率が大きくなるため、遊技者は、Ｖゾーン４６にパチンコ球を容易に入賞させることができる。
また、カウント値Ｎが９以上の場合には（Ｓ２１：ＮＯ）、Ｓ２３において、ＣＰＵ７１は、Ｖゾーン駆動回路部６４を介して、Ｖゾーン駆動モータ４７の所定回転速度での駆動を開始し、即ち、Ｖゾーン４６の所定速度での左右水平方向への往復移動を開始して、メインフローチャートに戻る。これにより、Ｖゾーン４６の貫通孔４６Ａに入賞球の入る確率が小さくなるため、遊技者は、Ｖゾーン４６の動きに合わせて、発射ハンドル６を操作する必要が生じる。
【００４５】
続いて、Ｓ４において、ＣＰＵ７１は、ソレノイド駆動回路部６２を介してソレノイド６１を駆動して扉１７Ａを開き、大入賞口１７を開放する。また、カウントスイッチ７６から入賞球の通過信号が入力されるとＲＡＭ７３からカウント値Ｔを読み出し、このカウント値Ｔに「１」加算して再度ＲＡＭ７３に記憶する処理を開始する。
【００４６】
次に、Ｓ５において、ＣＰＵ７１は、Ｖゾーン通過スイッチ７７から入賞球の通過信号が入力されたか否か判定する。
そして、Ｖゾーン通過スイッチ７７から入賞球の通過信号が入力されている場合には（Ｓ５：ＹＥＳ）、Ｓ６において、ＲＡＭ７３からＶフラッグを読み出し、「１」か否か判定する。即ち、ＶフラッグがＯＮか否か判定する。
続いて、ＲＡＭ７３から読み出したＶフラッグが「１」の場合には（Ｓ６：ＹＥＳ）、即ち、ＶフラッグがＯＮの場合には、Ｓ７以降の処理を実行する。
【００４７】
一方、ＲＡＭ７３から読み出したＶフラッグが「０」の場合には（Ｓ６：ＮＯ）、即ち、ＶフラッグがＯＦＦの場合には、Ｓ８において、Ｖフラッグに「１」を代入して、再度ＲＡＭ７３に記憶する。
続いて、Ｓ９において、ＲＡＭ７３からカウント値Ｎを読み込み、カウント値Ｎが「１６」か否か判定する。即ち、最終開放中か否か判定する。
そして、このカウント値Ｎが「１６」でない場合は（Ｓ９：ＮＯ）、即ち最終開放中でない場合は、Ｓ１０において、Ｖゾーン入賞報知処理を行い、Ｓ７以降の処理を実行する。
また、このカウント値Ｎが「１６」の場合は（Ｓ９：ＹＥＳ）、即ち最終開放中の場合は、Ｖゾーン入賞報知処理を行わないで、Ｓ７以降の処理を実行する。
【００４８】
また、Ｓ５において、Ｖゾーン通過スイッチ７７から入賞球の通過信号が入力されていない場合には（Ｓ５：ＮＯ）、Ｓ７以降の処理を実行する。
【００４９】
次に、Ｓ７において、カウントスイッチ７６から入賞球の通過信号が入力されていれば、ＲＡＭ７３から入賞個数のカウント値Ｔを読み出して、このカウント値Ｔが１０以上になっているか否か判定する。そして、入賞個数のカウント値Ｔが１０より小さい場合には（Ｓ７：ＮＯ）、再度、Ｓ５以降の処理を実行する。
【００５０】
また、入賞個数のカウント値Ｔが１０以上の場合には（Ｓ７：ＹＥＳ）、Ｓ１１において、ＣＰＵ７１は、ソレノイド駆動回路部６２を介してソレノイド６１を駆動して大入賞口１７の扉１７Ａを閉鎖する。
【００５１】
続いて、Ｓ１２において、ＣＰＵ７１は、Ｖゾーン駆動回路部６４を介してＶゾーン駆動モータ４７を停止させる。即ち、Ｖゾーン４６の左右水平方向の移動を停止させる。
【００５２】
次に、Ｓ１３において、ＲＡＭ７３からＶフラッグを読み出し、「１」か否か、即ち、ＶフラッグがＯＮか否か判定する。
そして、この読み出したＶフラッグが「０」の場合には（Ｓ１３：ＮＯ）、即ち、ＶフラッグがＯＦＦの場合には、「大当り」の処理を終了する。
また、この読み出したＶフラッグが「１」の場合には（Ｓ１３：ＹＥＳ）、即ち、ＶフラッグがＯＮの場合には、Ｓ１４において、ＲＡＭ７３からカウント値Ｎを読み出し、カウント値Ｎに「１」加算して、再度ＲＡＭ７３に記憶する。
【００５３】
続いて、Ｓ１５において、ＲＡＭ７３からカウント値Ｎを読み出し、「１７」か否か判定する。
そして、このカウント値Ｎが「１７」でない場合には（Ｓ１５：ＮＯ）、再度、Ｓ２以降の処理を実行する。
また、このカウント値Ｎが「１７」の場合には（Ｓ１５：ＹＥＳ）、即ち大入賞口１７を１６回開放した場合には、「大当り」の処理を終了する。
【００５４】
以上詳細に説明した通り第１実施形態に係るパチンコ機１では、大入賞口１７の開放回数のカウント値Ｎが「８」まで、即ち大入賞口１７の開放回数が「８回」までは大入賞口１７の開放中、Ｖゾーン４６は所定の特定位置（左右水平方向の中央位置）で停止している（Ｓ２１：ＹＥＳ、Ｓ２２）。そして、大入賞口１７の開放回数のカウント値Ｎが「９〜１６」まで、即ち大入賞口１７の開放回数が「９回〜１６回」の間は、大入賞口１７の開放中、Ｖゾーン４６が左右水平方向に往復移動する（Ｓ２１：ＮＯ、Ｓ２３）。
【００５５】
これにより、Ｖゾーン４６は、大入賞口１７の開放回数が「８回」までの場合には、この大入賞口１７の開放中、左右水平方向の中央位置に停止しているため、初心者等でも一定量の出球を獲得することができ、初心者の興味を引きつけることができる。また、このＶゾーン４６は、大入賞口１７の開放回数が「９回〜１６回」の場合には、該大入賞口１７の開放中、左右水平方向に往復移動するため、これに対応して、パチンコ球を大入賞口１７の左右から入るように発射ハンドル６を操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。したがって、初心者からベテランまでの広い客層の遊技者の興味を引きつけ興趣を増大させることができる。
【００５６】
次に、第２実施形態に係るパチンコ機について図８乃至図１１に基づいて説明する。先ず、第２実施形態に係るパチンコ機の概略構成及び主基板３６の回路構成は、第１実施形態に係るパチンコ機１とほぼ同じ構成である。但し、第１実施形態に係るＶゾーン４６が、以下に説明するＶゾーン８１（図８参照）から構成されている。
【００５７】
この大入賞口１７内に配置されるＶゾーン８１の概略構成について図８に基づいて説明する。図８は第２実施形態に係るパチンコ機の大入賞口１７内に配置されるＶゾーン８１の概略構成を示し、（ａ）は大入賞口１７内の入賞球の経路を示す正面図、（ｂ）は大入賞口１７の要部を示す側面断面図である。
先ず、図８（ｂ）に示すように、大入賞口１７は、遊技盤２の前面より嵌挿されて取り付けられている。そして、大入賞口１７の背面部の内側には、上側に所定の幅寸法（パチンコ球の直径寸法以上の幅寸法）の開口部を有し、パチンコ球の直径寸法にほぼ等しい高さ寸法を有する円弧状のリブ８２が垂設されている。また、このリブ８２の内側の底部には、パチンコ球を遊技盤２の裏側に案内する貫通孔８３が形成されている。さらに、この貫通孔８３の裏側の下端縁部には、Ｖゾーン通過スイッチ７７に入賞球を案内する案内リブ１７Ｅが延出されている。そして、この案内リブ１７Ｅの端縁部には、Ｖゾーン通過スイッチ７７が設けられている。
また、リブ８２の内側の背面部のほぼ円弧中心位置には、Ｖゾーン８１の取付ボス８１Ｂが挿入される所定径の貫通孔が形成されている。
また、図８（ａ）に示すように、このリブ８２の下側には、左右側面から内側斜め下方向に延出される案内リブ１７Ｃが延出され、この案内リブ１７Ｃの内側端縁部には、大入賞口１７への入賞球の通過をカウントするカウントスイッチ７６が設けられている。さらに、大入賞口１７の背面部のカウントスイッチ７６の下側には、扉１７Ａが開いた時に入賞する入賞球を遊技盤２の裏側に案内する貫通孔１７Ｄが形成されている。
【００５８】
また、図８に示すように、Ｖゾーン８１は、リブ８２の内側半径より少し小さい半径を有し、パチンコ球の直径寸法にほぼ等しい厚さ寸法を有する略円板状で、外周縁部の一箇所にパチンコ球の直径寸法にほぼ等しい幅寸法と深さ寸法を有する凹部８１Ａが形成されている。また、Ｖゾーン８１の裏側面の中心位置には、上端面に所定深さの取付孔が形成された取付ボス８１Ｂが垂設されている。そして、Ｖゾーン８１は、リブ８２の前面側から遊嵌されて、大入賞口１７の背面部内側に当接されると共に、ステッピングモータ等により構成されるＶゾーン駆動モータ４７のモータ軸に取付ボス８１Ｂが嵌挿されてネジ止めにより固定される。これにより、Ｖゾーン８１は、リブ８２内を回転可能に取り付けられ、Ｖゾーン駆動モータ４７の回転駆動によりＶゾーン８１が矢印８４（図８（ａ））に示すよう回転する。
【００５９】
次に、このように構成された大入賞口１７内の入賞球の経路について説明する。図８に示すように、大入賞口１７の扉１７Ａが開いた場合には、大入賞口１７の左右上方向から入賞した入賞球は、各矢印８５Ａ、８５Ｂ、８６Ａ、８６Ｂに示されるように、各案内リブ１７Ｃ、１７Ｃに沿ってカウントスイッチ７６に案内されて、このカウントスイッチ７６を通過後、大入賞口１７の底面に沿って貫通孔１７Ｄに案内され、遊技盤２の裏側に案内される。
また、Ｖゾーン８１の凹部８１Ａがリブ８２の真上に位置している場合に、矢印８７Ａに示されるように、この凹部８１Ａに入賞した入賞球は、Ｖゾーン８１の回転に伴ってリブ８２に沿って貫通孔８３に案内され、この貫通孔８３を通過後、案内リブ１７Ｅに沿ってＶゾーン通過スイッチ７７に案内される。そして、この入賞球は矢印８７Ｂに示されるように、Ｖゾーン通過スイッチ７７を通過後遊技盤２の裏側に案内される。
【００６０】
ここで、Ｖゾーン８１、リブ８２、貫通孔８３、案内リブ１７Ｅ、及びＶゾーン通過スイッチ７７等が特別入賞口を構成する。また、Ｖゾーン駆動モータ４７が移動手段として機能する。また、制御回路部５５、出力ポート５８、及びＶゾーン駆動回路部６４等が移動制御手段を構成する。
【００６１】
次に、このように構成されたパチンコ機の「大当り」時のＶゾーン８１の回転制御処理について図９乃至図１１に基づいて説明する。図９は第２実施形態に係るパチンコ機の「大当り」時におけるＶゾーン８１の回転制御処理を示すメインフローチャートである。図１０は第２実施形態に係るパチンコ機のＶゾーン回転開始処理を示すサブフローチャートである。図１１は第２実施形態に係るパチンコ機のＶゾーン回転停止処理を示すサブフローチャートである。
図９に示すように、第２実施形態に係るパチンコ機の「大当り」時のＶゾーン８１の回転制御処理は、第１実施形態に係るパチンコ機の「大当り」時のＶゾーン４６の移動制御処理（図６参照）とほぼ同じである。但し、第１実施形態に係るＶゾーン４６のＳ３における「Ｖゾーン移動開始処理」は、後述のようにＳ３１における「Ｖゾーン回転開始処理」に変更されている（図１０参照）。また、第１実施形態に係るＶゾーン４６のＳ１２における「Ｖゾーン移動停止」の制御処理は、後述のようにＳ３２における「Ｖゾーン回転停止処理」に変更されている（図１１参照）。
【００６２】
次に、Ｓ３１において実行される「Ｖゾーン回転開始処理」のサブ処理について図１０に基づいて説明する。
図１０に示すように、先ず、Ｓ３３において、ＣＰＵ７１は、ＲＡＭ７３から大入賞口１７の開放回数であるカウント値Ｎを読み出し、このカウント値Ｎが９より小さいか否か判定する。
そして、カウント値Ｎが９より小さい場合には（Ｓ３３：ＹＥＳ）、Ｓ３４において、Ｖゾーン駆動モータ４７を所定の回転位置で停止させ、即ち、Ｖゾーン８１の凹部８１Ａを真上の位置に停止させて、メインフローチャートに戻る。これにより、Ｖゾーン８１の凹部８１Ａに入賞球の入る確率が大きくなるため、遊技者は、Ｖゾーン８１の凹部８１Ａにパチンコ球を容易に入賞させることができる。
また、カウント値Ｎが９以上の場合には（Ｓ３３：ＮＯ）、Ｓ３４において、ＣＰＵ７１は、Ｖゾーン駆動回路部６４を介して、Ｖゾーン駆動モータ４７の所定回転速度での駆動を開始し、即ち、Ｖゾーン８１の所定回転速度での回転を開始して、メインフローチャートに戻る。これにより、Ｖゾーン８１の凹部８１Ａに入賞球の入る確率が小さくなるため、遊技者は、Ｖゾーン８１の動きに合わせて、発射ハンドル６を操作する必要が生じる。
【００６３】
次に、Ｓ３２において実行される「Ｖゾーン回転停止処理」のサブ処理について図１１に基づいて説明する。
図１１に示すように、先ず、Ｓ３７において、ＣＰＵ７１は、Ｖゾーン８１を１回転させた後停止させる。即ち、ＣＰＵ７１は、Ｖゾーン駆動回路部６４を介して、Ｖゾーン駆動モータ４７を所定回転速度で１回転させた後、回転駆動を停止する。
【００６４】
続いて、Ｓ３８において、ＣＰＵ７１は、Ｖゾーン通過スイッチ７７から入賞球の通過信号が入力されたか否か判定する。
そして、Ｖゾーン通過スイッチ７７から入賞球の通過信号が入力されていない場合には（Ｓ３８：ＮＯ）、メインフローチャートに戻る。
【００６５】
また、Ｖゾーン通過スイッチ７７から入賞球の通過信号が入力されている場合には（Ｓ３８：ＹＥＳ）、Ｓ３９において、ＲＡＭ７３からＶフラッグを読み出し、「１」か否か判定する。即ち、ＶフラッグがＯＮか否か判定する。
そして、ＲＡＭ７３から読み出したＶフラッグが「１」の場合には（Ｓ３９：ＹＥＳ）、即ち、ＶフラッグがＯＮの場合には、メインフローチャートに戻る。
【００６６】
また、ＲＡＭ７３から読み出したＶフラッグが「０」の場合には（Ｓ３９：ＮＯ）、即ち、ＶフラッグがＯＦＦの場合には、Ｓ４０において、Ｖフラッグに「１」を代入して、再度ＲＡＭ７３に記憶する。
【００６７】
続いて、Ｓ４１において、ＲＡＭ７３からカウント値Ｎを読み込み、カウント値Ｎが「１６」か否か判定する。即ち、最終開放であったか否か判定する。
そして、このカウント値Ｎが「１６」でない場合は（Ｓ４１：ＮＯ）、即ち最終開放でなかった場合は、Ｓ４２において、Ｖゾーン入賞報知処理を行い、メインフローチャートに戻る。
また、このカウント値Ｎが「１６」の場合は（Ｓ４１：ＹＥＳ）、即ち最終開放だった場合は、Ｖゾーン入賞報知処理を行わないで、メインフローチャートに戻る。
【００６８】
以上詳細に説明した通り第２実施形態に係るパチンコ機では、大入賞口１７の開放回数のカウント値Ｎが「８」まで、即ち大入賞口１７の開放回数が「８回」までは大入賞口１７の開放中、Ｖゾーン８１の凹部８１Ａは、真上の位置で停止している（Ｓ３３：ＹＥＳ、Ｓ３４）。そして、そして、大入賞口１７の開放回数のカウント値Ｎが「９〜１６」まで、即ち大入賞口１７の開放回数が「９回〜１６回」の間は、大入賞口１７の開放中、Ｖゾーン８１は所定回転速度で回転する（Ｓ３３：ＮＯ、Ｓ３５）。
【００６９】
これにより、大入賞口１７の開放回数が「８回」までの場合には、この大入賞口１７の開放中、Ｖゾーン８１の凹部８１Ａは、真上の位置で停止しているため、初心者等でも一定量の出球を獲得することができ、初心者の興味を引きつけることができる。また、大入賞口１７の開放回数が「９回〜１６回」の場合には、該大入賞口１７の開放中、このＶゾーン８１は、所定回転速度で回転するため、これに対応して、パチンコ球がＶゾーン８１の凹部８１Ａに入るように発射ハンドル６を操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。したがって、初心者からベテランまでの広い客層の遊技者の興味を引きつけ興趣を増大させることができる。
【００７０】
次に、第３実施形態に係るパチンコ機について図１２乃至図１６に基づいて説明する。先ず、第３実施形態に係るパチンコ機の概略構成は、第１実施形態に係るパチンコ機１とほぼ同じ構成である。但し、第１実施形態に係るＶゾーン４６が、以下に説明するＶゾーン９１及び入賞規制部材９２等（図１２参照）から構成されている。また、第１実施形態に係るＶゾーン駆動モータ４７が、駆動ソレノイド９３から構成されている。
【００７１】
この大入賞口１７内に配置されるＶゾーン９１の概略構成について図１２及び図１３に基づいて説明する。図１２は第３実施形態に係るパチンコ機の大入賞口１７内に配置されるＶゾーン９１の概略構成を示し、（ａ）はＶゾーン９１の要部を示す平面図、（ｂ）は大入賞口１７の要部を示す側面断面図である。図１３は第３実施形態に係るパチンコ機の大入賞口１７内の入賞球の経路を示す正面図である。
先ず、図１２（ｂ）に示すように、大入賞口１７は、遊技盤２の前面より嵌挿されて取り付けられている。また、大入賞口１７の背面部には、Ｖゾーン９１が左右水平方向の中央位置に背面部に嵌挿されて、取り付けられている。また、大入賞口１７の背面部のＶゾーン９１の上側には、後述の略平板状の入賞規制部材９２が裏面側から遊嵌される貫通孔１７Ｆが形成されている。
また、図１３に示すように、Ｖゾーン９１の下側には、左右側面から内側斜め下方向に延出される案内リブ１７Ｃが延出され、この案内リブ１７Ｃの内側端縁部には、大入賞口１７への入賞球の通過をカウントするカウントスイッチ７６が設けられている。さらに、大入賞口１７の背面部のカウントスイッチ７６の下側には、扉１７Ａが開いた時に入賞する入賞球を遊技盤２の裏側に案内する貫通孔１７Ｄが形成されている。
【００７２】
また、図１２に示すように、Ｖゾーン９１は、略箱状で、前側の部分には入賞球の通過する貫通孔９１Ａが形成されている。また、この貫通孔９１Ａの入賞球の通過を検出するＶゾーン通過スイッチ７７が内部に設けられている。
また、Ｖゾーン９１の上面部は、裏面側から遊嵌される略平板状の入賞規制部材９２により覆われている。この入賞規制部材９２の後端縁部には幅方向に長い略長四角形の貫通孔９２Ａが形成されている。そして、裏面側に配置される駆動ソレノイド９３により前後方向（図１２中、矢印９５の方向）に揺動駆動されるレバー９４の揺動側先端部がこの貫通孔９２Ａに挿入されている。また、この入賞規制部材９２は、不図示のバネ等により前面側に付勢されている。
これにより、駆動ソレノイド９３の可動鉄心９３Ａが後ろ側に引き寄せられていない場合、即ち、駆動ソレノイド９３がＯＦＦの場合には、レバー９４の揺動側先端部が前側に動き、入賞規制部材９２は前側に押し出される。そして、Ｖゾーン９１の貫通孔９１Ａの上端面は、この入賞規制部材９２により覆われて閉鎖される。また、駆動ソレノイド９３の可動鉄心９３Ａが後ろ側に動かされている場合、即ち、駆動ソレノイド９３がＯＮの場合には、レバー９４の揺動側先端部が後ろ側に動き、入賞規制部材９２は、貫通孔９１Ａの後側端縁部より後ろ側に引き出されて、Ｖゾーン９１の貫通孔９１Ａの上端面は、開放される。
【００７３】
次に、このように構成された大入賞口１７内の入賞球の経路について図１３に基づいて説明する。
図１３に示すように、大入賞口１７の扉１７Ａが開いた場合には、大入賞口１７の左右上方向から入賞した入賞球は、各矢印９６Ａ、９６Ｂ、９７Ａ、９７Ｂに示されるように、各案内リブ１７Ｃ、１７Ｃに沿ってカウントスイッチ７６に案内されて、このカウントスイッチ７６を通過後、大入賞口１７の底面に沿って貫通孔１７Ｄに案内され、遊技盤２の裏側に案内される。
そして、Ｖゾーン９１の貫通孔９１Ａが入賞規制部材９２により覆われて閉鎖されている場合には、入賞規制部材９２の上端面に当たって、矢印９８Ａ又は矢印９８Ｂに示されるように、各案内リブ１７Ｃ、１７Ｃ上に落下して、各案内リブ１７Ｃ、１７Ｃに沿ってカウントスイッチ７６に案内されて、このカウントスイッチ７６を通過後、大入賞口１７の底面に沿って貫通孔１７Ｄに案内され、遊技盤２の裏側に案内される。
また、Ｖゾーン９１の貫通孔９１Ａが入賞規制部材９２により覆われていない場合には、Ｖゾーン９１の貫通孔９１Ａに入賞した入賞球は、矢印９９に示されるように、Ｖゾーン通過スイッチ７７を通過後カウントスイッチ７６を通過して、大入賞口１７の底面に沿って貫通孔１７Ｄに案内され、遊技盤２の裏側に案内される。
【００７４】
次に、上記構成のパチンコ機の液晶表示器１２等を制御する主基板３６の回路構成について図１４に基づいて説明する。図１４は第３実施形態に係るパチンコ機の遊技動作等を制御する主基板３６の回路構成の一例を示すブロック図である。
図１４に示すように、主基板３６の構成は、第１実施形態に係るパチンコ機１とほぼ同じ構成である。但し、Ｖゾーン駆動モータ４７に替えて、駆動ソレノイド９３がＶゾーン駆動回路部６４に接続されている。
【００７５】
ここで、Ｖゾーン９１及びＶゾーン通過スイッチ７７等が特別入賞口を構成する。また、駆動ソレノイド９３及びレバー９４等が部材駆動手段を構成する。また、制御回路部５５、出力ポート５８、及びＶゾーン駆動回路部６４等が駆動制御手段を構成する。
【００７６】
次に、このように構成されたパチンコ機の「大当り」時のＶゾーン９１の開閉制御処理について図１５及び図１６に基づいて説明する。図１５は第３実施形態に係るパチンコ機の「大当り」時におけるＶゾーン９１の開閉制御処理を示すメインフローチャートである。図１６は第３実施形態に係るパチンコ機の「Ｖゾーン開閉開始処理」を示すサブフローチャートである。
図１５に示すように、第３実施形態に係るパチンコ機の「大当り」時のＶゾーン９１の開閉制御処理は、第１実施形態に係るパチンコ機の「大当り」時のＶゾーン４６の移動制御処理（図６参照）とほぼ同じである。但し、第１実施形態に係るＶゾーン４６のＳ３における「Ｖゾーン移動開始処理」は、後述のようにＳ４５における「Ｖゾーン開閉開始処理」に変更されている。また、第１実施形態に係るＶゾーン４６のＳ１２における「Ｖゾーン移動停止」の処理は、Ｓ４６における「駆動ソレノイド停止」の処理、即ち、「Ｖゾーン駆動回路部６４を介した駆動ソレノイド９３の駆動を停止する」処理に変更されている。
【００７７】
次に、Ｓ４５において実行される「Ｖゾーン開閉開始処理」のサブ処理について図１６に基づいて説明する。
図１６に示すように、先ず、Ｓ４７において、ＣＰＵ７１は、ＲＡＭ７３から大入賞口１７の開放回数であるカウント値Ｎを読み出し、このカウント値Ｎが９より小さいか否か判定する。
そして、カウント値Ｎが９より小さい場合には（Ｓ４７：ＹＥＳ）、Ｓ４８において、駆動ソレノイド９３の可動鉄心９３Ａを後ろ方向に引き寄せて保持する、即ち、Ｖゾーン９１の上面を覆う入賞規制部材９２を裏側方向に引き寄せて保持し、Ｖゾーン９１の貫通孔９１Ａを開放して、メインフローチャートに戻る。これにより、Ｖゾーン９１の貫通孔９１Ａに入賞球の入る確率が大きくなるため、遊技者は、Ｖゾーン９１の貫通孔９１Ａにパチンコ球を容易に入賞させることができる。
また、カウント値Ｎが９以上の場合には（Ｓ４７：ＮＯ）、Ｓ４９において、ＣＰＵ７１は、Ｖゾーン駆動回路部６４を介して、駆動ソレノイド９３の所定周期でのＯＮ・ＯＦＦ駆動を開始して、メインフローチャートに戻る。即ち、入賞規制部材９２の前後動作により、Ｖゾーン９１の所定周期での開閉を開始して、メインフローチャートに戻る。これにより、Ｖゾーン９１の貫通孔９１Ａに入賞球の入る確率が小さくなるため、遊技者は、Ｖゾーン９１の所定周期での開閉に合わせて、発射ハンドル６を操作する必要が生じる。
【００７８】
以上詳細に説明した通り第３実施形態に係るパチンコ機では、大入賞口１７の開放回数のカウント値Ｎが「８」まで、即ち大入賞口１７の開放回数が「８回」までは大入賞口１７の開放中、Ｖゾーン９１の貫通孔９１Ａは、開放されている（Ｓ４７：ＹＥＳ、Ｓ４８）。そして、そして、大入賞口１７の開放回数のカウント値Ｎが「９〜１６」まで、即ち大入賞口１７の開放回数が「９回〜１６回」の間は、大入賞口１７の開放中、Ｖゾーン９１は入賞規制部材９２により所定周期で開閉される（Ｓ４７：ＮＯ、Ｓ４９）。
【００７９】
これにより、大入賞口１７の開放回数が「８回」までの場合には、この大入賞口１７の開放中、Ｖゾーン９１の貫通孔９１Ａの上面は開放されているため、初心者等でも一定量の出球を獲得することができ、初心者等の興味を引きつけることができる。また、大入賞口１７の開放回数が「９回〜１６回」の場合には、該大入賞口１７の開放中、このＶゾーン９１は、入賞規制部材９２により所定周期で開閉されるため、これに対応して、パチンコ球をＶゾーン９１に入るように発射ハンドル６を操作する必要があり、遊技者の技量により出球の獲得量が変化し、遊技者に従来にない面白味を持たせることができる。また、多くの出球を獲得することにより大きな達成感を味わうことができるため、遊技者の興味を強く引きつけることができる共に、興趣を増大させることができる。したがって、初心者からベテランまでの広い客層の遊技者の興味を引きつけ興趣を増大させることができる。
【００８０】
尚、本発明は上記第１乃至第３実施形態に限定されることはなく、本発明の要旨を逸脱しない範囲内で種々の改良、変形が可能であることは勿論であり、以下のようにしてもよい。
（ａ）前記第１乃至第３実施形態では、Ｓ２１、Ｓ３３及びＳ４７において、「カウント値Ｎが９より小さいか否か？」判定しているが、１〜１６の任意の値を選択して、比較してもよい。
（ｂ）前記第１実施形態では、Ｓ２２において、Ｖゾーン４６を左右水平方向の中央位置で停止させたが、任意の位置で停止させてもよい。
（ｃ）前記第１実施形態では、Ｖゾーン４６は左右水平方向に移動する構成になっているが、上下方向等任意の方向に移動する構成にしてもよい。
（ｄ）前記第１実施形態では、Ｖゾーン４６は左右水平方向に移動する構成になっているが、カム駆動やソレノイド駆動等により大入賞口１７の前後方向に移動して、該大入賞口１７の背面から出てきたり隠れたりする構成にしてもよい。
（ｅ）前記第２実施形態では、Ｖゾーン８１に凹部８１Ａを１個形成しているが、２個以上形成してもよい。
（ｆ）前記第３実施形態では、入賞規制部材９２は前後方向に移動する構成になっているが、カム駆動等により左右水平方向に移動する構成にしてもよい。そして、大入賞口１７の開放回数のカウント値Ｎが９より小さい場合には（４７：ＹＥＳ）、Ｓ４８において、入賞規制部材９２を大入賞口１７内の左端部又は右端部に位置させてＶゾーン９１を開放するようにしてもよい。
（ｇ）前記第３実施形態では、入賞規制部材９２は前後方向に移動する構成になっているが、Ｖゾーン９１の貫通孔９１Ａの上面後端縁部に回動可能に軸支して、上下方向に開閉する構成にしてもよい。
（ｈ）前記第３実施形態では、入賞規制部材９２によりＶゾーン９１を開閉する構成にしたが、入賞規制部材９２を固定して、Ｖゾーン９１を前後方向や左右方向に移動させる構成にしてもよい。
（ｉ）前記第３実施形態では、入賞規制部材９２を略平板状にしたが、略円柱状や略櫛状等の任意の形状にしてもよい。
（ｊ）前記第１乃至第３実施形態では、大入賞口１７の最大開放回数を１６回にしているが、任意の回数にしてもよい。
【００８１】
【発明の効果】
以上詳細に説明した通り請求項１に係るパチンコ機では、大当り時に開放される大入賞口の内部には、この大入賞口の開放回数を継続するための特別入賞口が設けられている。また、この特別入賞口は移動手段によって所定方向に往復移動可能に設けられている。また、この移動手段は、大入賞口の連続開放回数が所定の第１回数までの場合には、大入賞口の開放中、特別入賞口を所定位置に停止させるように制御される。また、大入賞口の連続開放回数が所定の第１回数に達した場合には、該大入賞口の開放中、特別入賞口を所定方向に往復移動させるように制御される。そして、大入賞口の開放中に特別入賞口に入賞した場合には、この大入賞口の開放回数が所定の第１回数よりも多い所定の第２回数に達するまで連続開放可能になる。
これにより、特別入賞口は、大入賞口の開放回数が所定回数までの場合には、この大入賞口の開放中所定位置に停止しているため、初心者等でも一定量の出球を獲得することができ、初心者の興味を引きつけることができるパチンコ機を提供することができる。また、この特別入賞口は、大入賞口の開放回数が所定回数を越えた場合には、該大入賞口の開放中移動するため、大入賞口内で従来にない複雑な態様が期待されると共に、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができるパチンコ機を提供することができる。
【００８２】
また、請求項２に係るパチンコ機では、請求項１に記載のパチンコ機において、前記移動手段は、前記特別入賞口を前記大入賞口に対して左右水平方向に往復移動させるため、これに対応して、パチンコ球を大入賞口の左右から入るように発射ハンドルを操作する必要があり、遊技者の技量により出球の獲得量が変化し、遊技者に従来にない面白味を持たせることができるパチンコ機を提供することができる。また、多くの出球を獲得することにより大きな達成感を味わうことができるため、遊技者の興味を強く引きつけることができる共に、興趣を増大させることができるパチンコ機を提供することができる。
【００８３】
また、請求項３に係るパチンコ機では、請求項１に記載のパチンコ機において、前記移動手段は、前記特別入賞口を前記大入賞口に対して前後方向に往復移動させるため、これに対応して、特別入賞口が前に出てきた時にパチンコ球が大入賞口に入るように発射ハンドルを操作する必要があり、遊技者の技量により出球の獲得量が変化し、遊技者に従来にない面白味を持たせることができるパチンコ機を提供することができる。また、多くの出球を獲得することにより大きな達成感を味わうことができるため、遊技者の興味を強く引きつけることができる共に、興趣を増大させることができるパチンコ機を提供することができる。
【００８４】
また、請求項４に係るパチンコ機では、大当り時に開放される大入賞口の内部には、この大入賞口の開放回数を継続するための特別入賞口が設けられている。また、外周部に遊技球を保留可能な保留部が形成されて、回転手段によって回転される回転部材が設けられている。また、この保留部に保留された遊技球は、保留部が所定位置まで回転されると案内部材によって特別入賞口まで案内され、該特別入賞口への入賞が検出されるように構成されている。また、大入賞口の開放回数が所定の第１回数までの場合には、該大入賞口の開放中、回転部材の保留部を上側方向に向く位置に停止させ、該大入賞口の閉鎖後、該回転部材を１回転だけ回転させて、保留部に保留された入賞球が特別入賞口に案内されるように回転手段が駆動制御される。また、該大入賞口の連続開放回数が所定の第１回数を越えた場合には、該大入賞口の開放中、回転部材を回転させ、該大入賞口の閉鎖後、該回転部材を１回転だけ回転させて、保留部に保留された入賞球が特別入賞口に案内されるように回転手段が駆動制御される。そして、大入賞口の開放中に特別入賞口に入賞した場合には、この大入賞口の開放回数が所定の第１回数よりも多い所定の第２回数に達するまで連続開放可能になる。
これにより、大入賞口の開放回数が所定の第１回数までの場合には、この大入賞口の開放中、回転部材の保留部を上側方向に向く位置に停止させるため、初心者等でも回転部材の保留部に遊技球を保留させることができて一定量の出球を獲得することができ、初心者の興味を引きつけることができるパチンコ機を提供することができる。また、回転部材は、大入賞口の開放回数が所定の第１回数を越えた場合には、該大入賞口の開放中回転するため、大入賞口内で従来にない複雑な態様が期待できると共に、回転部材の保留部に遊技球を保留させることが難しくなり、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができるパチンコ機を提供することができる。
【００８５】
また、請求項５に係るパチンコ機では、請求項４に記載のパチンコ機において、回転部材は、大入賞口に対して回動軸心が垂直になるように設けられているため、これに対応して、回転部材の保留部が上方向に向いた時にパチンコ球が大入賞口に入るように発射ハンドルを操作する必要があり、遊技者の技量により出球の獲得量が変化し、遊技者に従来にない面白味を持たせることができるパチンコ機を提供することができる。また、多くの出球を獲得することにより大きな達成感を味わうことができるため、遊技者の興味を強く引きつけることができる共に、興趣を増大させることができるパチンコ機を提供することができる。
【００８６】
また、請求項６に係るパチンコ機では、大当り時に開放される大入賞口の内部には、この大入賞口の開放回数を継続するための特別入賞口が設けられている。そして、この特別入賞口は、部材駆動手段によって駆動される入賞規制部材によって開閉される。また、この部材駆動手段は、大入賞口の開放回数が所定の第１回数までの場合には、該大入賞口の開放中、特別入賞口を開放し、該大入賞口の開放回数が所定の第１回数を越えた場合には、該大入賞口の開放中、特別入賞口の開放と閉鎖とを所定時間間隔で繰り返し行うように駆動制御される。そして、大入賞口の開放中に特別入賞口に入賞した場合には、この大入賞口の開放回数が所定の第１回数よりも多い所定の第２回数に達するまで連続開放可能になる。
これにより、特別入賞口は、大入賞口の連続開放回数が所定の第１回数に達するまでは、この大入賞口の開放中開かれているため、初心者等でも一定量の出球を獲得することができ、初心者の興味を引きつけることができるパチンコ機を提供することができる。また、この特別入賞口は、大入賞口の開放回数が所定の第１回数を越えた場合には、該大入賞口の開放中入賞規制部材により所定時間間隔で開放と閉鎖とが繰り返されるため、大入賞口内で従来にない複雑な態様が期待されると共に、遊技者の技量により出球の獲得量に差が出るため、ベテランの遊技者の興味を引きつけ興趣を増大させることができる。したがって、初心者からベテランまで広い客層の遊技者の興味を引きつけ興趣を増大させることができるパチンコ機を提供することができる。
【００８７】
また、請求項７に係るパチンコ機では、請求項６に記載のパチンコ機において、部材駆動手段は、入賞規制部材を大入賞口に対して前後方向に往復移動させて開閉動作させるため、これに対応して、入賞規制部材が前方向又は後ろ方向に移動して特別入賞口が開いた時にパチンコ球が大入賞口に入るように発射ハンドルを操作する必要があり、遊技者の技量により出球の獲得量が変化し、遊技者に従来にない面白味を持たせることができるパチンコ機を提供することができる。また、多くの出球を獲得することにより大きな達成感を味わうことができるため、遊技者の興味を強く引きつけることができる共に、興趣を増大させることができるパチンコ機を提供することができる。
【００８８】
また、請求項８に係るパチンコ機では、請求項６に記載のパチンコ機において、前記部材駆動手段は、前記入賞規制部材を前記大入賞口に対して左右水平方向に往復移動させて開閉動作させるため、これに対応して、入賞規制部材が右方向又は左方向に移動して特別入賞口が開いた時にパチンコ球が大入賞口に入るように発射ハンドルを操作する必要があり、遊技者の技量により出球の獲得量が変化し、遊技者に従来にない面白味を持たせることができるパチンコ機を提供することができる。また、多くの出球を獲得することにより大きな達成感を味わうことができるため、遊技者の興味を強く引きつけることができる共に、興趣を増大させることができるパチンコ機を提供することができる。
【００８９】
更に、請求項９に係るパチンコ機では、請求項６乃至請求項８のいずれかに記載のパチンコ機において、入賞規制部材は、略平板状部材であるため、構造が簡単になり、製造コストの削減化及び製品の信頼性の向上を図ることができるパチンコ機を提供することができる。
【図面の簡単な説明】
【図１】
第１実施形態に係るパチンコ機の全体を示した正面図である。
【図２】
第１実施形態に係るパチンコ機の全体を示した背面図である。
【図３】
第１実施形態に係るパチンコ機の大入賞口内に配置される特別入賞口の概略構成を示し、（ａ）は特別入賞口の要部を示す平面図、（ｂ）は特別入賞口の要部を示す側面断面図である。
【図４】
第１実施形態に係るパチンコ機の大入賞口内の入賞球の経路を示す正面図である。
【図５】
第１実施形態に係るパチンコ機の遊技動作等を制御する主基板の回路構成の一例を示すブロック図である。
【図６】
第１実施形態に係るパチンコ機の「大当り」時におけるＶゾーンの移動制御処理を示すメインフローチャートである。
【図７】
第１実施形態に係るパチンコ機のＶゾーン移動開始処理を示すサブフローチャートである。
【図８】
第２実施形態に係るパチンコ機の大入賞口内に配置されるＶゾーンの概略構成を示し、（ａ）は大入賞口内の入賞球の経路を示す正面図、（ｂ）は大入賞口の要部を示す側面断面図である。
【図９】
第２実施形態に係るパチンコ機の「大当り」時におけるＶゾーンの回転制御処理を示すメインフローチャートである。
【図１０】
第２実施形態に係るパチンコ機のＶゾーン回転開始処理を示すサブフローチャートである。
【図１１】
第２実施形態に係るパチンコ機のＶゾーン回転停止処理を示すサブフローチャートである。
【図１２】
第３実施形態に係るパチンコ機の大入賞口内に配置されるＶゾーンの概略構成を示し、（ａ）はＶゾーンの要部を示す平面図、（ｂ）は大入賞口の要部を示す側面断面図である。
【図１３】
第３実施形態に係るパチンコ機の大入賞口内の入賞球の経路を示す正面図である。
【図１４】
第３実施形態に係るパチンコ機の遊技動作等を制御する主基板の回路構成の一例を示すブロック図である。
【図１５】
第３実施形態に係るパチンコ機の「大当り」時におけるＶゾーンの開閉制御処理を示すメインフローチャートである。
【図１６】
第３実施形態に係るパチンコ機の「Ｖゾーン開閉開始処理」を示すサブフローチャートである。
【符号の説明】
１・・・パチンコ機
６・・・発射ハンドル
１７・・・大入賞口
１７Ａ・・・扉
３６・・・主基板
４６、８１、９１・・・Ｖゾーン
４７・・・Ｖゾーン駆動モータ
７１・・・ＣＰＵ
７６・・・カウントスイッチ
７７・・・Ｖゾーン通過スイッチ
９２・・・入賞規制部材
９３・・・駆動ソレノイド